(57)【特許請求の範囲】
【請求項１】
人間の顔に存在する眼窩下孔部近傍に電流を付与するための針部と該針部を先端に保持するホルダー部と前記針部に接続され前記電流を供給するコード部とを備える第一の通電電極と、この第一の通電電極に接続され、前記電流を供給する電源部と該電源部に並列に接続されたテスター部と該テスター部と前記電源部とのいずれかの要素を選択するための切換スイッチとを備える制御装置と、この制御装置に一の端部を接続され他端は前記第一の通電電極と対をなして人体の一部に接触させる第二の通電電極とを有し、前記切換スイッチによって前記テスター部を選択した場合には前記第一の通電電極と第二の通電電極をテスター用電極として使用する色覚改善装置において、色覚を記憶し、確認する為に、色の名前を記載した色カードを備えて、リハビリテーションを可能としたことを特徴とする色覚改善装置。
【請求項２】
人間の顔に存在する眼窩下孔部近傍に電流を付与するための針部と該針部を先端に保持するホルダー部と前記針部に接続され前記電流を供給するコード部とを備える第一の通電電極と、この第一の通電電極に接続され、前記電流を供給する電源部と該電源部に並列に接続されたテスター部と該テスター部と前記電源部とのいずれかの要素を選択するための切換スイッチとを備える制御装置と、この制御装置に一の端部を接続され他端は前記第一の通電電極と対をなして人体の一部に接触させる第二の通電電極とを有し、前記切換スイッチによって前記テスター部を選択した場合には前記第一の通電電極と第二の通電電極をテスター用電極として使用し、前記電源部は可変抵抗器を備えて所望の電流値を供給する色覚改善装置において、色覚を記憶し、確認する為に、色の名前を記載した色カードを備えて、リハビリテーションを可能としたことを特徴とする色覚改善装置。
【請求項３】
人間の顔に存在する眼窩下孔部近傍に電流を付与するための針部と該針部の端部を露出させながら針部外周面に周設される絶縁体と該絶縁体を中央に載設する平面状のシート部とを有し該シート部の前記絶縁体が載設された面には粘着剤層が形成される電極ユニットと、端部に電極を内蔵する絶縁体を備えてこの電極と前記電極ユニットを着脱可能に接続するワイヤーハーネスと、このワイヤーハーネスに接続され、前記電流を供給する電源部と該電源部に並列に接続されたテスター部と該テスター部と前記電源部とのいずれかの要素を選択するための切換スイッチとを備える制御装置と、この制御装置に一の端部を接続され他端は前記ワイヤーハーネスに接続された電極ユニットと対をなして人体の一部に接触させる通電電極とを有し、前記切換スイッチによって前記テスター部を選択した場合には前記ワイヤーハーネスに接続された電極ユニットと前記通電電極をテスター用電極として使用する色覚改善装置であって、色覚を記憶し、確認する為に、色の名前を記載した色カードを備えて、リハビリテーションを可能としたことを特徴とする色覚改善装置。
【発明の詳細な説明】
【０００１】
【発明の属する技術分野】
本発明は、色覚異常者が、家庭で独自の責任において使用することのできる色覚改善装置に関する。
【０００２】
【従来の技術】
一般に、色覚異常の改善を図るための色覚改善装置は、生体通電という方法を用いる場合がある。生体通電とは、何らかの治療効果を目的として、生体に通電する場合において、電子エネルギーを生体内へ有効に導入する方法であり、これには二つの方法が知られている。
【０００３】
第一の方法は、皮膚の外側から電極を使用する経皮通電であり、第二の方法は、皮膚の内部に針電極を刺して通電する皮下通電である。
第一の方法である経皮通電においては、電極下の皮膚及びその下の骨の抵抗即ちインピーダンスによって、直流の場合には、交流と比べて同じ電極を用いても電流値が低下することが知られている。そこで、必要な電流量を得るためには交流が使用されることが多い。
【０００４】
また、電極の極性を利用するために、交流の正弦波電流のうち、プラスあるいはマイナスの一方の電流を用いる半波整流の方法が用いられることが多い。
経皮通電においては、皮膚の抵抗即ち皮膚抵抗インピーダンスによって、経皮通電した際の電流は瞬時に低下し、皮膚で消耗されて熱に転換される。この熱に変わった部分は無効電流であり、その残りの部分の電流のみが有効に治療に作用することとなる。
【０００５】
経皮通電方式による色覚改善装置の場合には、患者の個人々々により皮膚抵抗インピーダンスの差異が大きく、これが治療効果を大きく左右させている。即ち、皮膚インピーダンスが１０キロオーム以下の色覚異常者の場合は、治療効果が大きいが、５０キロオーム以上の色覚異常者の場合には、治療効果が低くなるということが判明している。
【０００６】
第二の通電方法である皮下通電の場合には、この皮膚抵抗インピーダンスをなくすために、注射針を用いて、眼球と皮膚の間に、骨のない部位があることを利用し、この皮膚抵抗インピーダンスの個人差異を最小にするように工夫している。
【０００７】
この骨のない部位について図８を参照して説明する。図８は、人体の頭蓋骨を示す概念図である。人体の頭蓋骨には、図中符号４で示されるような骨のない部分があることが知られており、この部分を眼窩下孔と呼んでいる。この部分は、骨がないことから骨抵抗がなく、皮膚から眼球への経路においては抵抗が少なくなっているのである。
【０００８】
ここで、ひとまず２つの通電方法の説明は終えて、これとは別の眼の感電性という特性について説明する。
この眼の感電性による色覚の研究は東北大学医学部の本川弘一教授により発表されている。
【０００９】
例えば、暗室内で眼を暗さに慣らしてから、弱い電流を眼に流すと、ピカッと光が見えるような感覚が発生する。この現象を電気閃光と呼んでいる。この電気閃光を感じる最低の電気量が低いほど、感電性（電気的興奮性）が高くなる。
この感電性を高めるためには、網膜の中心にスペクトル光、例えば白色光を当てると、それぞれの色光により光を当てる前よりも、低い電圧で電気閃光を感じるようになるのである。即ち、感電性が向上するのである。
【００１０】
このスペクトル光と、これに対応する交流周波数は共鳴に似た関係があるので、この周波数を共鳴周波数と呼ばれている。
色光波長と共鳴周波数との対応関係は、６５０ナノメーターの赤色光には、７７サイクルの交流周波数が、５１５ナノメーターの緑色光には、４２．５サイクルの交流周波数が対応している。
【００１１】
このように感電性を高めるために、スペクトル光の代わりに共鳴周波数の交流刺激を与えることにより効果が発揮されるのである。
色覚改善装置は、この共鳴周波数の交流電流を生体に経皮通電または皮下通電により付加して、感電性を向上させて色覚異常者の色覚を改善するものである。
【００１２】
色覚異常においては、赤色に対して色弱となる第一色弱と、緑色に対して色弱となる第二色弱が存在する。この弱い部分の色覚を向上するために、赤と緑の前記した赤色用の７７サイクルの交流周波数と、緑色用の４２．５サイクルの交流周波数を交互に３秒間だけ通電することにより、感電性が向上するのである。これが、色覚改善装置の効果である。３秒間とするのは、赤と緑はおおよそ補色関係にあるので、その網膜誘導により補色関係の感電性が上昇するからである。
【００１３】
以上のような理論に基づき、従来、いろいろな色覚改善装置が発明されている。
図９を参照しながら従来の色覚改善装置について説明する。図９は経皮通電方式の色覚改善装置の従来例を示す概念図である。図９において、色覚異常者は、経皮通電電極１３を眼の横、すなわちこめかみに貼りつけて治療を受けている。
【００１４】
このように構成された従来の経皮通電方式の色覚改善装置においては、小型軽量であることから家庭でも使用できる。経皮通電電極１３をこめかみに装着して、赤と緑の共鳴周波数である赤色用の７７サイクルの交流周波数と、緑色用の４２．５サイクルの交流周波数を、交互に３秒間だけ、合計２０分間経皮通電していた。網状閃光を目安に皮膚刺激を起こさない程度の電流電圧で実施していた。
【００１５】
このような経皮通電式の色覚改善装置において、向上が認められた人は、６２％から６６％であり、治療期間は、半年から１年を要していた。
しかしながら、一方ではほとんど効果が表れない人や、治療期間が７年位かかったものの色覚異常が改善された人もいた。
【００１６】
この経皮通電式の色覚改善装置において、治療効果があがらなかった理由は、眼の横、皮膚の上からの通電のため、電流の皮膚抵抗とさらには骨抵抗という二重の抵抗により効果が上がらなかったということが考えられる。
【００１７】
また、皮膚抵抗や骨抵抗は、個人差により、抵抗の大きい人と小さい人があり、１００％の皮膚抵抗と骨抵抗がある人は、全く治療効果が無い場合もあったと考えられる。
【００１８】
一方、皮下通電方式の色覚改善装置の従来例について図１０を参照しながら説明する。図１０は、皮下通電方式の色覚改善装置の従来例を示す概念図である。図１０において、色覚異常者は、注射針式電極１５を眼窩下孔４の近傍に刺し込んで、皮膚抵抗と骨抵抗とを回避しながら治療を受けている。
【００１９】
この皮下通電方式の色覚改善装置は、経皮通電方式の色覚改善装置を改善して、皮膚抵抗と骨抵抗をなくして電流を付加できるものである。
【００２０】
【発明が解決しようとする課題】
しかしながら、上述の従来の経皮通電方式の色覚改善装置においては、皮膚抵抗インピーダンスの影響が強く、それによる不具合の発生が避けられないという課題があった。また、眼球を対象とする場合には、その周囲の骨の抵抗インピーダンスも避けられない。従って、色覚異常の治療効果を向上させるためには、多大な日数と治療回数が必要となっていた。
【００２１】
一方、この経皮通電方式の色覚改善装置の課題を解決すべく、皮下針を電極として皮下通電として、皮膚抵抗を除外するとともに、骨抵抗のない眼球にいたる経路を利用するように構成されたのが、従来の皮下通電方式の色覚改善装置であった。
【００２２】
しかしながら、この従来の皮下通電方式の色覚改善装置においては、眼窩下孔に皮下に電極を刺すが、この眼窩下孔には、三叉神経の第二枝が通っているので、これに刺激を与えることのないように浅く刺さなければならない。また、神経を刺激しないように電流電圧を低くしなければならないという課題を有していた。
【００２３】
しかも、注射針により皮下に電極を刺す必要があり、色覚異常者が家庭で恒常的に使用するには適しておらず、病院で医師の監視や指導のもとにしか利用できないという課題も有していた。また、苦痛が伴ったり、顔の皮膚を傷めたりするという特に女性にとって深刻な課題もあった。さらに、眼窩下孔の位置が触診による感覚的な確認によるもので、熟練を要し、専門医でなければ容易に位置を特定できないという課題があった。
【００２４】
本発明はかかる従来の事情に対処してなされたものであり、医師の監視や指導を受けなくとも、家庭で日常的に安全に使用することができる色覚改善装置と着脱可能にして複数の患者を順次治療できる色覚改善装置を提供することを目的とする。
【００２５】
【課題を解決するための手段】
上記目的を達成するため、請求項１記載の発明である色覚改善装置は、人間の顔に存在する眼窩下孔部近傍に電流を付与するための針部と針部を先端に保持するホルダー部と針部に接続され電流を供給するコード部とを備える第一の通電電極と、この第一の通電電極に接続され、電流を供給する電源部と電源部に並列に接続されたテスター部およびこのテスター部と電源部とのいずれかの要素を選択するための切換スイッチとを備える制御装置と、この制御装置に一の端部を接続され他端は第一の通電電極と対をなして人体の一部に接触させる第二の通電電極とを有するものであり、切換スイッチによってテスター部を選択した場合には第一の通電電極と第二の通電電極をテスター用電極として使用する色覚改善装置において、色覚を記憶し、確認する為に、色の名前を記載した色カードを備えて、リハビリテーションを可能とするものである。
【００２６】
上記構成の色覚改善装置においては、第二の通電電極を首の部分などに接触させて、切換スイッチによってテスター部を選択した後、第一の通電電極を顔面にあてると第一の通電電極と第二の通電電極間の抵抗が測定されるという作用を有する。第一の通電電極を顔面上で移動させると最も抵抗が低くなる地点がわかるが、これが、眼窩下孔の位置である。
さらに、上記構成の色覚改善装置においては、備えられた色の名前を記載した色カードによって、正しい色認識を持てるようになり、コンプレックスからの解放と色生活を楽しむことを可能にするものである。
【００２７】
さらに、眼窩下孔を探し当てた後、その第一の通電電極を離すことなく切換スイッチを電源部側へ換えれば、治療に必要な電流が流れるという作用を有する。また、請求項２に記載の発明である色覚改善装置は、請求項１に記載の色覚改善装置において、電源部が可変抵抗器を備えて所望の電流値を供給するものである。
【００２８】
上記構成の色覚改善装置においては、請求項１に記載の発明の作用に加えて、電源部から供給される電流値を変化させるという作用を有する。
【００３２】
請求項３に記載の発明である色覚改善装置は、人間の顔に存在する眼窩下孔部近傍に電流を付与するための針部と該針部の端部を露出させながら針部外周面に周設される絶縁体と該絶縁体を中央に載設する平面状のシート部とを有し該シート部の絶縁体が載設された面には粘着剤層が形成される電極ユニットと、端部に電極を内蔵する絶縁体を備えてこの電極と電極ユニットを着脱可能に接続するワイヤーハーネスと、このワイヤーハーネスに接続され、電流を供給する電源部と該電源部に並列に接続されたテスター部と該テスター部と電源部とのいずれかの要素を選択するための切換スイッチとを備える制御装置と、この制御装置に一の端部を接続され他端はワイヤーハーネスに接続された電極ユニットと対をなして人体の一部に接触させる通電電極とを有し、切換スイッチによってテスター部を選択した場合にはワイヤーハーネスに接続された電極ユニットと通電電極をテスター用電極として使用するものであって、色覚を記憶し、確認する為に、色の名前を記載した色カードを備えて、リハビリテーションを可能としたものである。
【００３３】
上記構成の色覚改善装置においては、電極ユニットが、絶縁体と針部が一体となった上に、平面状のシートに載設されており、そのシート面には粘着剤層が形成されているため、治療中ずっと眼窩下孔の位置に手で保持する必要はなく、位置を確かめた後に針部が眼窩下孔の位置にくるように顔に貼ることができるので、電極ユニットを手でずっと押えておく必要がないという作用を有する。また、電極ユニットが着脱可能にワイヤーハーネスに設けることが可能であるため、色覚改善装置を複数の患者の治療に順次供するという作用を有する。
【００３６】
【発明の実施の形態】
以下に、本発明に係る色覚改善装置の第１の実施の形態を図１乃至図３に基づき説明する。（請求項１および請求項２に対応）
【００３７】
図１は本発明の第１の実施の形態に係る色覚改善装置の概念図である。図１において、色覚改善装置は、皮下通電電極Ａと貼付電極Ｂと制御ボックスＣとを有している。皮下通電電極Ａは、ホルダー部１を有しており、ホルダー部１の端部には所定の長さ、例えば２ｍｍの突出長を有する極細針２が備えられている。ホルダー部１はワイヤーハーネス３を介して、貼付電極Ｂはワイヤーハーネス１２を介して制御ボックスＣに接続されている。
【００３８】
図１は、色覚異常者が皮下通電電極Ａを手に持って眼窩下孔近傍に当て、貼付電極Ｂは首の後ろ側に当てながら制御ボックスＣから供給される電流によって色覚改善を行っている様子を示している。
【００３９】
次に、図２は本実施の形態に係る色覚改善装置を詳細に示す外形図である。図２において図１と同一部分については同一符号を付しその構成の説明は省略する。図１は皮下通電電極Ａが１本の場合を示していたが、図２では２本のワイヤーハーネス３ａ，３ｂにそれぞれ接続される皮下通電電極Ａ１，Ａ２が描かれており、各々の皮下通電電極Ａ１，Ａ２にホルダー部１ａ，１ｂが設けられている。ホルダー部１ａ，１ｂの端部には、極細針２ａ，２ｂが絶縁体９ａ，９ｂを介して突設されている。これらの極細針２ａ，２ｂはワイヤーハーネス３ａ，３ｂに接続されるものである。２つの皮下通電電極を設けたのは、顔面に存在する２つの眼窩下孔に同時に当てて治療を行うためである。皮下通電電極が一つであっても、交互に当てて治療することはもちろん可能であるが、同時に行うことによって治療時間が短縮されるのである。
【００４０】
貼付電極Ｂは、貼付板１１に湿材ガーゼ１０を設けることによって構成されるものである。
次に、制御ボックスＣの詳細な構成について説明する。制御ボックスＣは内部に、図３を用いて後述する定電圧電流供給部を備えており、この定電圧電流供給部から供給される電流値を読み取るための電流計１８ａ，１８ｂが備えられている。２つの電流計１８ａ，１８ｂは、２つの皮下通電電極Ａ１，Ａ２に対応するものであるため、図１に示されるように１の皮下通電電極Ａのみを有する場合には、電流計が１つでもよいのは言うまでもない。
【００４１】
符号１７で示されるのは、可変抵抗用つまみ１７である。この可変抵抗用つまみ１７を図中矢印で示される方向に廻すことによって抵抗値を変え、皮下通電電極Ａ１，Ａ２に供給する電流値を変えることができる。また、メイン電源スイッチ７を備え、治療を開始する際に定電圧電流供給部の電源を入れる。
【００４２】
一方、制御ボックスＣには、図３を用いて後述するが、テスター部が備えられており、符号８はテスター部スイッチを、符号１９はテスター表示窓をそれぞれ示している。テスター表示窓１９は、テスターとして用いる場合に、抵抗値を示すための小窓である。
【００４３】
定電圧電流供給部とテスター部の切換を行うために回路切換用つまみ１４が設けられている。色覚改善装置を使わない場合には、切り位置１６ａに合わせておき、テスター部を使用する際には、テスターモード位置１６ｃに合わせ、治療を行う際には治療モード位置１６ｂに合わせる。
【００４４】
なお、図２において、電流計１８ａ，１８ｂおよびテスター表示窓１９をアナログ式で指針を有するものとして記載したが、もちろんデジタル式で数値を表示するタイプのものでもよいことは言うまでもない。
【００４５】
図３は、前述した定電圧電流供給部６とテスター部５を含めた制御ボックスＣの回路構成を示す概念図である。図３において、図１及び図２にも示される同一部分については同一符号を付し、その構成の説明は省略する。
【００４６】
図３の制御ボックスＣ内において、テスター部５と定電圧電流供給部６は並列に接続されている。これら２つの要素は、回路切換スイッチ２０を切り換えることによって選択される。
【００４７】
皮下通電電極Ａ１，Ａ２のワイヤーハーネス３ａ，３ｂへ接続される経皮電極側端子２１ｄは、回路切換スイッチ２０によって、切り位置用端子２１ａ、治療モード用端子２１ｂ、テスターモード用端子２１ｃのうちいずれかの接点と接続される。例えば、テスターモード用端子２１ｃを選択した場合には、ワイヤーハーネス３ａ，３ｂは、テスターモード用端子２１ｃからテスターモード用回路２３を介してテスター部５と接続される。これによって、皮下通電電極Ａ１，Ａ２及び貼付電極Ｂはテスター用の電極として利用できる。
【００４８】
次に、回路切換スイッチ２０を用いて経皮電極側端子２１ｄを治療モード用端子２１ｂに接続した場合には、ワイヤーハーネス３ａ，３ｂは、治療モード用端子２１ｂから治療モード用回路２４を介して定電圧電流供給部６と接続される。これによって、テスター部５側の回路とは遮断され、今度は定電圧電流供給部６から電流を供給して色覚改善のための治療を行うことができるのである。
【００４９】
色覚改善装置を使用しない場合には、いずれの要素にも接続されないように切り位置用端子２１ａに合わせておくと事故などを防止することができる。
この回路切換スイッチ２０は、図２で説明した回路切換用つまみ１４によって、切り換えられるものであり、切り位置用端子２１ａが図２における切り位置１６ａ、治療モード用端子２１ｂが治療モード位置１６ｂ、テスターモード用端子２１ｃがテスターモード位置１６ｃにそれぞれ対応している。
【００５０】
このように構成された本実施の形態に係る色覚改善装置を用いて、色覚改善のための治療を行う方法について説明を追加する。
まず、色覚異常者は、回路切換用つまみ１４が切り位置１６ａにあることを確認し、貼付電極Ｂを首の後ろ側に貼り、制御ボックスＣの回路切換用つまみ１４を切り位置１６ａからテスターモード位置１６ｃに変える。これによってテスター部５が選択され、制御ボックスＣは皮下通電電極Ａ１，Ａ２および貼付電極Ｂと共にテスターとして機能する。
【００５１】
テスター部スイッチ８を入れ、皮下通電電極Ａを顔面で眼の下のあたりに当て、テスター部５のテスター表示窓１９を見ながら抵抗値が最も下がる地点、すなわち眼窩下孔を探す。眼窩下孔と考えられる地点を探し当てたら、そこに皮下通電電極Ａの極細針２を刺し、メイン電源スイッチ７を入れ、回路切換用つまみ１４を治療モード位置１６ｂへ廻して定電圧電流供給部６から電流を供給する。
【００５２】
このとき、可変抵抗器２２を有する色覚改善装置の場合には、可変抵抗用つまみ１７を廻して治療段階に沿った所望の電流値が流れるように調整する。
【００５３】
一方の眼の治療が終了したらもう一方の眼の治療に入る。その際、回路切換用つまみ１４をまたテスターモード位置１６ｃに切り換えて、もう一方の眼窩下孔を探して、その後、治療モード位置１６ｂに切り換えて同じように定電圧電流供給部６から電流を供給する。
【００５４】
なお、皮下通電電極が２本ある場合には、一方の皮下通電電極Ａ１で一方の眼窩下孔を探しその地点で固定しておき、その後もう一方の皮下通電電極Ａ２でもう一方の眼窩下孔を探して、同時に刺して回路切換用つまみ１４を治療モード位置１６ｂに切り換えることによって、左右の眼を同時に治療することができる。
【００５５】
両方の眼の治療が終了したならば、テスター部スイッチ８とメイン電源スイッチ７を切り、回路切換用つまみ１４を切り位置１６ａに廻して、さらに可変抵抗用つまみ１７も抵抗値が大きくなるように、すなわち電流が最も流れないような位置にセットしておくと、故障や事故を起こすこともなく安心である。
【００５６】
以上説明したとおり、本実施の形態に係る色覚改善装置によれば、定電圧電流供給部と並列に構成されたテスター部を有するため、従来医師の補助や指導、監督が必要であった眼窩下孔への注射針を用いる方法によらなくとも、容易に眼窩下孔を探すことができる。また、切換スイッチを設けたことによって、皮下通電電極と貼付電極を治療の場合のみならず、テスター部を用いる場合にも電極として用いることができる。
【００５７】
また、皮下通電電極を２つ設けることによって、治療時間を短縮することも可能である。
さらに、可変抵抗器を用いることによって、治療段階に沿った好適な電流値を供給することができる。
【００５８】
以下に、本発明に係る色覚改善装置の第２の実施の形態を図４に基づき説明する。
図４は本発明の第２の実施の形態に係る色覚改善装置と一緒に用いて治療に供される色カードの概念図である。この色カードは、リハビリテーションキットとして用意される色カードである。
【００５９】
図４において、色カードＤは、色覚異常者を治療の段階において、色覚を認識しはじめた際において、確実に色の名前と、色群を記憶し、理解できるように、色の名前を記載したものである。この色カードＤのようなリハビリテーションキットが存在することにより、自分の治療効果を確実に理解することができ、かつ正しい色認識を持てることに自身を持つことができ、コンプレックスからの解放と、色生活を楽しむことができるようになるのである。
【００６０】
次に、本発明に係る色覚改善装置の電極ユニットの第１の実施の形態について図５を参照しながら説明する。
【００６１】
図５は第１の実施の形態に係る色覚改善装置の電極ユニットの縦断面図である。図５において、電極ユニット２５は、極細針２と絶縁体９とホルダー部１と電極２６から構成されている。極細針２はその端部２ｃ，２ｄを突出させて絶縁体９が周設されている。ホルダー部１には、極細針２と絶縁体９を挿入可能な凹部２７が形成されており、凹部２７の底部には、凹部２６ａを有する電極２６が設けられている。極細針２と絶縁体９が凹部２７に、また、端部２ｄが凹部２６ａに嵌挿されるようにする。これによって、ワイヤーハーネス３に極細針２が接続されることになる。電極２６は、極細針２とワイヤーハーネス３の接続を容易にするための構成であるため、必ずしも必要ではないが設ける方が好ましい。
【００６２】
このように構成される電極ユニット２５においては治療を必要とする人が複数いて順番に治療を行うような場合において、一旦使った極細針２を再度使用しないように、極細針２と絶縁体９を簡単に交換できる。従って、衛生的でありしかも容易に交換可能であるため、交換の時間もかからず迅速に治療を進めることが可能である。
【００６３】
次に、本発明に係る色覚改善装置の電極ユニットの第２の実施の形態について図６を参照しながら説明する。（特に、請求項３に対応）
【００６４】
図６（ａ）は第２の実施の形態に係る色覚改善装置の電極ユニットの外形図であり、図６（ｂ）は、その色覚改善装置の電極ユニットの縦断面図である。図６（ａ）において、電極ユニット２８は、極細針２９と絶縁体３０と粘着シート３４によって構成される。極細針２９は、図５を用いて説明した第１の実施の形態に係る色覚改善装置の電極ユニットと同様に、その周囲を絶縁体３０によって覆われている。絶縁体３０は粘着シート３４の上に載設されており、極細針２９はワイヤーハーネス３３に接続されるものである。
【００６５】
図６（ｂ）において、極細針２９はその端部２９ａ，２９ｂを突出して絶縁体３０が周設されている。一方、ワイヤーハーネス３３もその端部には電極３２を内蔵する絶縁体３１が設けられており、絶縁体３１の凹部３１ａと電極３２の凹部３２ａに極細針２９の端部２９ｂが収まるように絶縁体３０の凹部３０ａに挿入される。このようにして極細針２９をワイヤーハーネス３３に接続するのである。さらに、粘着シート３４の表面３４ａには粘着剤層が形成されており、顔面に接着することができる。
【００６６】
このように構成された第２の実施の形態に係る色覚改善装置の電極ユニットにおいては、第１の実施の形態と同様に着脱可能にワイヤーハーネス３３に設けることが可能であるため、複数の患者の治療を順次行うことが可能である。さらに、粘着シート３４を備えているため、治療中に皮下通電電極のホルダーを手で保持しておく必要もなく、顔面に貼付することができる。
【００６７】
このような効果は、特に皮下通電電極を２本有する色覚改善装置において特に有効である。２本の皮下通電電極を有する場合には、最初の眼の眼窩下孔の位置を探した後に、もう一方の眼の眼窩下孔を探すことになるが、その際、最初の眼の眼窩下孔を探しあてたときに、その位置に粘着シート３４を貼ってしまえば、片手でずっと押さえておく必要はなく、もう一方の眼の眼窩下孔を探す際に容易である。
【００６８】
また、治療中においても両手でホルダーを押さえる必要はなく、自分で可変抵抗用つまみを操作したりすることも可能であり、ベッドなどに横になってゆっくりリラックスして治療を受けることもできる。
【００６９】
最後に、図７を参照して本発明に係る色覚改善装置の電極ユニットの第３と第４の実施の形態について説明する。
【００７０】
図７（ａ）は第３の実施の形態に係る色覚改善装置の電極ユニットの縦断面図であり、図７（ｂ）は、第４の実施の形態に係る色覚改善装置の電極ユニットの縦断面図である。
【００７１】
図７（ａ）において、図５に示される同一部分については同一符号を付し、その構成についての説明は省略する。本第３の実施の形態においては、キャップ３５を極細針の端部２ｄとホルダー部１の一部を覆うように設けたものである。キャップ３５はホルダー部１にかかるように覆うものでもよいし、極細針の端部２ｄのみを覆うような小さなものでもよい。
【００７２】
但し、キャップ３５を嵌めた状態で眼窩下孔の位置を探すため、キャップ３５の材質は電気伝導度の高い金属などで構成されることが好ましい。
眼窩下孔の位置を確認した後には、キャップ３５を外して極細針の端部２ｄを皮膚に刺して治療用に設定された電流を供給して治療を行う。
【００７３】
次に図７（ｂ）において、図６に示される同一部分については同一符号を付し、その構成の説明は省略する。本第４の実施の形態においては、極細針の端部２９ａと絶縁体３０の一部を覆うようにキャップ３６を設けるものである。本実施の形態においても、極細針の端部２９ａのみを覆うキャップ３６としても構わない。また、材質についても第３の実施の形態と同様である。
【００７４】
このように構成された第３の実施の形態と第４の実施の形態に係る色覚改善装置の電極ユニットにおいては、眼窩下孔を探すときに直接極細針が誤って顔面の皮膚に刺さったり、傷をつけたりすることのないようにする。色覚改善装置による治療は１回や２回というような短期に終わるものではなく、長期にわたるため特に女性の患者などが継続して安全に、そして顔の皮膚をなるべく傷つけることのないように施されることが望ましい。これらの２つの実施の形態に係る色覚改善装置の電極ユニットは、そのような要望を受け入れるべく極細針をカバーするキャップ３５，３６を備えるものである。
【００７５】
なお、キャップ３５，３６は極細針の端部２ｄ，２９ａを覆うような構成としたが、この他例えばノック式の筆記具のように筒状にガイドを設けてその中から極細針を送り出すような機構でもよい。このような場合には、治療前に眼窩下孔を探すときには筒状のガイドの中に極細針を収納しておき、その後ガイドの中から極細針を出して治療を行うことが可能である。
【００７６】
【発明の効果】
以上説明したように、本発明の請求項１と請求項２に記載の色覚改善装置においては、従来医師の補助や指導、監督が必要であった眼窩下孔への注射針を用いる方法によらなくとも、容易に眼窩下孔を探すことができる。また、切換スイッチを設けたことによって、第一の通電電極と第二の通電電極を治療の場合のみならず、テスター部を用いる場合にも電極として用いることができる。さらに、正しく確実に色群を理解、記憶できるため、治療効果を認識しながら患者の自信を獲得することができる。
【００７７】
また、請求項２に記載の色覚改善装置においては、電流の強弱を所望の値に調整できるため、治療段階に沿った好適な電流値を供給することができる。
【００７９】
請求項３に記載の色覚改善装置においては、電極ユニットが針部と絶縁体とシート部を着脱可能に色覚改善装置のワイヤーハーネスに設置できるため、複数の患者を順次治療できる。
【００８０】
また、請求項３に記載の色覚改善装置においては、電極ユニットのシート部を顔面に貼付できるため、患者が保持しておく必要がなく治療の利便性が向上する。
【図面の簡単な説明】
【図１】本発明の第１の実施の形態に係る色覚改善装置の概念図である。
【図２】第１の実施の形態に係る色覚改善装置を詳細に示す外形図である。
【図３】第１の実施の形態の制御ボックスの回路構成を示す概念図である。
【図４】第２の実施の形態に係る色覚改善装置に用いて治療に供される色カードの概念図である。
【図５】本発明の第１の実施の形態に係る色覚改善装置の電極ユニットの縦断面図である。
【図６】（ａ）は、本発明の第２の実施の形態に係る色覚改善装置の電極ユニットの外形図であり、（ｂ）はその縦断面図である。
【図７】（ａ）は、本発明の第３の実施の形態に係る色覚改善装置の電極ユニットの縦断面図であり、（ｂ）は本発明の第４の実施の形態に係る色覚改善装置の電極ユニットの縦断面図である。
【図８】人体の頭蓋骨を示す概念図である。
【図９】経皮通電方式の色覚改善装置の従来例を示す概念図である。
【図１０】皮下通電方式の色覚改善装置の従来例を示す概念図である。
【符号の説明】
Ａ，Ａ１，Ａ２…皮下通電電極  Ｂ…貼付電極  Ｃ…制御ボックス  Ｄ…色カード  １，１ａ，１ｂ…ホルダー部  ２，２ａ，２ｂ…極細針  ２ｃ，２ｄ…端部  ３，３ａ，３ｂ…ワイヤーハーネス  ４…眼窩下孔  ５…テスター部  ６…定電圧電流供給部  ７…メイン電源スイッチ  ８…テスター部スイッチ  ９，９ａ，９ｂ…絶縁体  １０…湿材ガーゼ  １１…貼付板  １２…ワイヤーハーネス１３…経皮通電電極  １４…回路切換用つまみ  １５…注射針式電極  １６ａ…切り位置  １６ｂ…治療モード位置  １６ｃ…テスターモード位置  １７…可変抵抗用つまみ  １８ａ，１８ｂ…電流計  １９…テスター表示窓  ２０…回路切換スイッチ  ２１ａ…切り位置用端子  ２１ｂ…治療モード用端子  ２１ｃ…テスターモード用端子  ２１ｄ…経皮電極側端子  ２２…可変抵抗器  ２３…テスターモード用回路  ２４…治療モード用回路  ２５…電極ユニット  ２６…電極  ２６ａ…凹部  ２７…凹部  ２８…電極ユニット  ２９…極細針  ２９ａ，２９ｂ…端部  ３０…絶縁体  ３０ａ…凹部  ３１…絶縁体  ３１ａ…凹部  ３２…電極  ３２ａ…凹部  ３３…ワイヤーハーネス  ３４…粘着シート  ３４ａ…表面  ３５…キャップ  ３６…キャップ
【図１】
0003774154.tif 000002
【図２】
0003774154.tif 000003
【図３】
0003774154.tif 000004
【図４】
0003774154.tif 000005
【図５】
0003774154.tif 000006
【図６】
0003774154.tif 000007
【図７】
0003774154.tif 000008
【図８】
0003774154.tif 000009
【図９】
0003774154.tif 000010
【図１０】
0003774154.tif 000011